(57)【特許請求の範囲】
【請求項１】
半導体チップ（２）およびアンテナ（３）を備えており、これらを用いて、上記半導体チップに格納された商品に関する情報を、読み取り装置に伝送することができる商品ラベル（１）であり、
上記アンテナ（３）は、ロッドアンテナ（６）、および、上記ロッドアンテナ（６）に容量結合したアンテナコイル（３）からなり、
上記半導体チップ（２）は、上記ロッドアンテナ（６）と電気伝導性を有して接触しており、
上記アンテナコイル（３）には、予定破面（４）が形成されており、上記予定破面（４）は、アンテナコイル断面の狭部にあり、このアンテナコイルの断面における狭部の領域で、アンテナコイル（３）は、読み取り工程の際に、上記読み取り装置から提供されるエネルギーによって破壊され、その結果、エネルギーの提供の後に、商品ラベルは、上記読み取り装置による判読ができなくなることを特徴とする商品ラベル。
【請求項２】
ロッドアンテナ（６）として、電気伝導性の合成樹脂が使用されていることを特徴とする請求項１に記載の商品ラベル。
【請求項３】
本体（５）として、合成樹脂からなるフィルムを備えていることを特徴とする請求項１または２に記載の商品ラベル。
【請求項４】
上記フィルムは、鋳込みにより形成されたフィルムである鋳込みフィルムであることを特徴とする請求項３に記載の商品ラベル。
【請求項５】
上記ロッドアンテナ（６）は、本体（５）に埋設されていることを特徴とする請求項２から４のいずれか１項に記載の商品ラベル。
【請求項６】
上記半導体チップ（２）は、本体（５）に埋設されていることを特徴とする請求項２から５のいずれか１項に記載の商品ラベル。
【請求項７】
上記アンテナコイル（３）は、本体（５）上に印刷されていることを特徴とする請求項１から６のいずれか１項に記載の商品ラベル。
【請求項８】
表面の１つが、粘着剤によって被覆されていることを特徴とする請求項１から７のいずれか１項に記載の商品ラベル。
【請求項９】
商品ラベル本体（５）は、上記粘着剤によって商品と接着された状態で、上記商品ラベルを当該商品から取り外す場合に、引き裂かれる引き裂き強度の物質から成ることを特徴とする請求項８に記載の商品ラベル。
【請求項１０】
請求項１から９のいずれか１項に記載の商品ラベルの製造方法であり、以下の工程：
ａ）複数のロッドアンテナ（６）を有している線状あるいはバンド状のアンテナ（６’）へ半導体チップ（２）を固定し、および、半導体チップ（２）とそれぞれに対応するロッドアンテナ（６）との間の電気伝導性の接触部を製造する工程と、
ｂ）フィルムの成型を行う際に、本体（５）１つにつき半導体チップ（２）を有する１つのロッドアンテナ（６）が存在するように、工程ａ）で製造されたロッドアンテナの第１段階のものがフィルムに埋設される複数の商品ラベル本体（５）を含む、鋳込みにより形成されたフィルムである鋳込みフィルム（７）を製造する工程と、
ｃ）上記予定破面（４）を有するアンテナコイル（３）を本体（５）の表面に印刷する工程と、
ｄ）商品ラベルを分離する工程と
を含むことを特徴とする製造方法。
【請求項１１】
アンテナコイル（３）を印刷した後に、粘着剤層が、本体の表面の１つに塗布されることを特徴とする請求項１０に記載の方法。
【請求項１２】
工程ｄ）は、型抜き作業によって行われることを特徴とする請求項１０または１１に記載の方法。
【発明の詳細な説明】
本発明は、例えば棚卸などの際に、接触せずに商品を認識したり、商品保護や、とりわけ盗難を防止したりするために特に適している商品ラベルに関するものである。加えて、このラベルは、偽造される恐れがない。アンテナを使用することにより、情報を読み取り装置に伝送することができるチップを有する商品ラベルは、例えば、米国特許公報第５７７９８３９（ＵＳ５７７９８３９）から周知である。
【０００１】
商品の販売、保管および分類の際ならびに商品在庫の検査の際に、頻繁に使用され、このとき、ある１つの商品が、ある特定の回数だけ、特にただ１度だけ、ある特定の作業工程（Bearbeitungsvorgang）を経るように使用されることが望ましいものがある。これは、例えば、ある特定の商品がただ１度だけ数えられるべきである商品在庫の棚卸に該当する。また、支払いの際にも、商品の価格がただ１度だけレジに記録されるべきである。加えて、高額商品の場合は、通常、商品に盗難防止装置（Diebstahlsicherung）が付いていることが考えられる。この盗難防止装置は、店舗を出る際に防止装置が取り外されていない場合に、警報器を作動させる。通常、このことは、レジで、商品の代金が支払われた後に行われる。しかし、現在では慣例となっているこの行為は、レジで購入価格が記録され、商品の代金が支払われたにもかかわらず、盗難防止装置が見逃されて商品に付いたままになっていることをなくすことはできない。
【０００２】
制御位置（Kontrollstelle）を通過する際に、共振回路が活性化される商品ラベルは、米国特許公報第５１４２２７０号（ＵＳ５１４２２７０）に記載されている。共振回路には、予定破面が備えられており、その結果、エネルギーの急上昇によって、共振回路が破壊され、ラベルは無効とされる。ラベルは、商品に関する情報を全く含有していない。
【０００３】
本発明の目的は、商品に関する情報を含んでおり、これら情報を、事前に決定した頻度にて、読み取り装置を用いて読み出すことができる商品ラベルを製造することである。加えて、この商品ラベルは、容易に、かつ経費をかけずに製造できるものであり、最大限偽造されにくいものを提供する。
【０００４】
本課題は、請求項１に基づく商品ラベルによって解決される。更に、本発明は、請求項１６に基づくこの商品ラベルの製造方法、ならびに請求項２０に基づくその使用に関するものである。更なる構造および様々な方法は、従属請求項に基づいている。
【０００５】
すなわち、本発明は、半導体チップならびにアンテナを備えている商品ラベルに関するものである。このアンテナを用いて、半導体チップに格納された商品に関する情報を、読み取り装置に伝送することができる。本発明では、アンテナは、予定破面（Sollbruchstelle）を備えており、その領域で、アンテナは、読み取り工程の際に情報が必要とされる回数だけ読み取られた後、読み取り装置から提供されたエネルギーによって破壊される。例えば、読み取り装置がラベルを読み取るサイクル数は、アンテナを破壊するために必要なエネルギーが提供される前に、あらかじめ固定して設定することができる。様々な型の読み取り装置を使用することもできる。つまり、一方では、ラベルを破壊しないような装置や、例えば、ただ１度だけの読み出しの後、アンテナを破壊するのに必要なエネルギーを照射するような装置である。予定破面の領域でアンテナが破壊された後、半導体チップに格納された商品に関する情報は、この読み取り装置には、もはや伝送されない。従って、エネルギーが提供された後に、商品ラベルを読み取り装置によって判読することとはもはやできない。
【０００６】
このようにして、例えば、棚卸を行う際に、本発明に基づく商品ラベルによって特徴づけられた商品が、ただ１度だけ数えられ、認識されるということを保障することができる。同様のことが、商品代金を支払う際にも該当する。なぜなら、商品ラベルが１度読み取られた後、レジで更に記録することはもはや不可能となるためである。本発明にかかる商品ラベルを、例えば、本発明による商品ラベルのアンテナから出力される周波数に反応し、更に警告音またはこれに類似したものを出力する盗難通報装置（Diepstahlmelder）と共に使用すると、この商品ラベルが、（レジの）付属する読み取り装置によって読み出されていなかった場合のみ、この盗難警告が行われる。これに反して、想定されるように、客が特徴付けられた（gekennzeichnete）商品をレジで清算しているならば、読み取り工程で、同時に盗難防止装置も解除されている。その結果、警報はもはや作動しない。盗難防止装置を取り外すための別の工程は、もはや必要ない。
【０００７】
本発明にかかる商品ラベルでは、商品に関する情報が半導体チップに格納されているため、この情報を偽造することは実質的に不可能である。
【０００８】
この商品ラベルは、棚卸の間に商品を数える際に、アンテナの破壊に必要なエネルギーがラベルに提供されず、従って、このラベルは読み出せる状態のままであるように使用することもできる。すると、商品価格をレジに、依然として伝送する（ermittelt）ことができる。アンテナの破壊は、レジに商品価格が記録された後に、レジ読み取り装置を用いて、適切な周波数を有するエネルギーを照射することによって、適切に行われる。
【０００９】
本発明にかかる商品ラベルは、アンテナとしてロッドアンテナ（Stabantenne）あるいはアンテナコイル（Antennenspule）のいずれかを備えている。加えて、商品ラベルは、１つだけではなく、更なるアンテナを有することが可能である。このことは、アンテナの射程範囲が拡大されるべき場合に、特に有効である。
【００１０】
本発明にかかる商品ラベルは、容量に関してロッドアンテナと結合しているアンテナコイルを備えていることが好ましい。従って、予定破面は、アンテナコイルまたはロッドアンテナに存在できる。本発明にかかる商品ラベルは、予定破面がアンテナコイルに存在し、ロッドアンテナは、短絡(kurzgeschlossen)されていることが好ましい。
【００１１】
商品に関する情報を含んでいる半導体チップは、ロッドアンテナあるいはアンテナコイルのいずれかによって電気的に接触することが可能である。本発明にかかる商品ラベルの製造に関しては、電気的接触がロッドアンテナによって行われることが好ましい。
【００１２】
アンテナまたは本発明にかかる商品ラベルのアンテナの１つにある、予定破面は、読み取り装置からアンテナに提供されたエネルギーが、予定破面の領域のアンテナを破壊するのに確実に足りるように構成されていることが好ましい。予定破面は、アンテナ断面の狭部に構成されていることが好ましい。
【００１３】
アンテナは、基本的には、すべての適当な電気伝導性の材料から製造することができる。特に、非接触チップカードのアンテナに使用される材料が適切である。製造可能性および価格の見地から、ロッドアンテナ用の適切な材料として、特に、電気伝導性の合成樹脂からなるバンドまたはバネが適している。このような材料は、基本的には周知である。このような材料には、合成樹脂の上に塗布または、合成樹脂マトリックスに埋設されている電気伝導性の小片（金属または金属によって被膜された小片）が含まれる。
【００１４】
本発明にかかる商品ラベル用の原材料として、基本的には、ラベルに使用されるどの材料も使用することができる。特に、本発明にかかる商品ラベルの本体として適しているのは、合成樹脂からなるフィルム（Folien）および特に鋳込み（Giessfolien）フィルムである。
【００１５】
本発明の変形例（Varianten）では、ロッドアンテナが商品ラベルの本体に埋設されていることが好ましい。同様のことが、半導体チップにも当てはまる。しかし、アンテナコイルの場合は、アンテナコイルが本体に印刷（aufzudrucken）されていると好都合である。
【００１６】
本発明にかかる商品ラベルは、各周知の方法によって、関係する商品に固定することができる。ラベルは、商品に粘着されることが好ましい。このため、本発明にかかる商品ラベルの表面の１つは、粘着剤によって被覆されていることもあり得る。
【００１７】
本発明にかかる商品ラベルが、商品から取り外されたり、他の商品に再度利用されたりすることを防ぐために、本発明にかかる商品ラベルは、特徴付けられた商品から一塊のまま取り外すことができないように構成されていると好都合である。
【００１８】
本発明にかかる商品ラベルは、以下の方法に基づいて製造されると好都合である：
まず、半導体チップが、複数のロッドアンテナを備えるアンテナバネまたはアンテナバンド上に固定される。アンテナバネまたはアンテナバンドに含まれているロッドアンテナ１つにつき、１つの半導体チップが固定される。次に、各半導体チップと付属するロッドアンテナとの間に、電気伝導性の接触部が製造される。この接触部の製造は、周知の方法、例えば、導線の接続、半田バンプ、電気伝導性の粘着剤またはこれらに類似したものを使用することによって行われる。
【００１９】
そして、更なる方法工程では、前の工程で得られたロッドアンテナの第１段階のものが商品ラベル本体に埋設される。本体として鋳込みフィルムが使用される。フィルムの鋳込みを行う際に、ロッドアンテナの第１段階のものは、鋳込みフィルムに含まれている本体１つにつき、半導体チップが固定された、１つのロッドアンテナが存在するように配置されている。鋳込みフィルムの製造および使用できる合成樹脂は、当業者に周知であり、従って、ここでは詳述しない。方法の最終工程では、本発明にかかる商品ラベルが分離される。この工程は、型抜き作業（Stanzvorgang）によって行われることが好ましい。
【００２０】
商品ラベルの分離の前に、鋳込みフィルムに含まれている本体の表面の１つにもう１つのアンテナ、例えばアンテナコイルが印刷されていることが好ましい。このことは、既述の通り、本発明にかかる商品ラベルから情報が読み取り装置に伝送される射程範囲が拡大されるべき場合に好都合である。
【００２１】
本発明にかかる商品ラベルが、粘着性ラベルとして使用されるべき場合、商品ラベルの分離の前、および、場合によっては更なるアンテナの印刷の後に、商品ラベル本体の表面の１つに粘着剤を塗布することができる。製造を簡易化するため、鋳込みフィルムの表面の１つの全面に、粘着剤を塗ってから、個々のラベルを型抜きするとよい。
【００２２】
本発明を以下に図を参照しながら詳述する。その中で図１から図３は、本発明にかかる商品ラベルの様々な例の平面図であり、図４は、本発明の方法に基づいて、本発明にかかる商品ラベルの製造時の様々な第１段階および中間段階を示す。
【００２３】
図１は、本発明にかかる商品ラベル１を示し、本体５を有している。本体５は、ここでは鋳込みフィルムから構成されている。この鋳込みフィルムは、低い引き裂き強度を有する合成樹脂から製造されている。その結果、商品ラベル１は、商品に粘着された後、商品から一塊のまま取り外されることはもはやない。なぜなら引き離す時に、フィルムが引き裂かれてしまうからである。本体５には、半導体チップ２が埋設されており、この半導体チップ２には、本発明にかかる商品ラベルが固定されるべき商品に関する情報が格納されて含まれている。情報は、例えば、商品の種類、商品番号およびその値段である。情報は、半導体チップが固定されており、半導体チップが電気伝導性を有して接触しているロッドアンテナ３によって、適合している読み取り装置に伝送され得る。
【００２４】
ロッドアンテナ３の領域に、予定破面４が形成される。これは、アンテナ断面の狭部にある。この予定破面４は、アンテナ３の搬送周波数に応じて、半導体チップに格納された情報が読み取り工程にて読み出された後、読み取り装置によってエネルギーがアンテナに注入された場合に、その領域のアンテナが破壊されるように形成される。アンテナ３を破壊するのに十分なエネルギーが読み取り装置からアンテナに注入されていない限り、予定破面４の領域のアンテナ３の破壊は、半導体チップ２に格納されている商品に関する情報が、読み取り装置に伝送されて評価されることに繋がる。更なる読み出しのサイクルでは、この商品ラベルは、アンテナ３が破壊されているために、もはや判読することができない。それゆえ、本発明にかかる商品ラベルに格納された情報は、読み出しのサイクルの所望する回数内でのみ評価することができる。
【００２５】
図２は、本発明にかかる商品ラベルの更なる実施形態を示す。この図では、以下のすべての図と同様、図１と同じ部材には同じ参照番号を付けている。
【００２６】
図２に示す商品ラベルは、図１に示されたものとは、アンテナ３の構造が異なっている。ロッドアンテナの代わりに、ここでは、アンテナコイルが本体５上に印刷されている。半導体２は、本体５に埋設されており、接触部は、本体５の表面で、短絡されているアンテナと電気伝導性を有して接触することができるように、本体５の表面に導入されている。
【００２７】
あるいは、アンテナコイル３も、本体５に埋設させることが可能である。
【００２８】
図３は、伝送射程範囲を広くできるように、ロッドアンテナ６とアンテナコイル３とが相互に組み合わせられている商品ラベルを示す。ロッドアンテナ６と、ロッドアンテナに電気伝導性を有して接触している半導体チップ２とは、本体５の鋳込みフィルムに埋設されている。改善された射程範囲を可能にするアンテナコイル３は、本体５の背面に印刷されている。図３の左にある、本来閉鎖しているアンテナコイル３の辺（Schenkel）は、ロッドアンテナ６の下方に延びている。このようにして、両アンテナの容量に関する連結を行うことができる。予定破面４は、アンテナコイル３に構成されている。
【００２９】
図４は、商品ラベルの本発明にかかる製造方法を具体的に説明している。この方法は、図３に示した商品ラベルの製造方法を例に示している。
【００３０】
ロッドアンテナ６の第１段階として、正面（Stirnseiten）にて互いに衝突しあう（aneinanderstossende）複数のロッドアンテナ６を備えているアンテナバンド６'が使用される（図４ａ））。第１工程では、半導体チップ２が、アンテナバンド６'に固定される。厳密に言うと、ロッドアンテナ１つにつき、１つの半導体チップ２が存在するように固定される。加えて、半導体チップは、それぞれ属するロッドアンテナ６に、電気伝導性を有するように接触する。このことは、半導体チップがロッドアンテナ上に固定されるのと同じ工程で行われるとよい。アンテナの第１段階６'が、導電性の合成樹脂から製造されているアンテナバネまたはアンテナバンドである場合、固定と接触とは、電気伝導性の粘着剤によって行われると好都合である。
【００３１】
次の工程（図４ｃ））では、図４ｂ）で製造された、ロッドアンテナの第１段階のものが、鋳込みフィルム７に埋設される。この鋳込みフィルム７は、点鎖線で示す複数の商品ラベル本体５を含んでいる。ロッドアンテナの第１段階のものは、本体５の１つにつき、半導体チップ２を有する１つのロッドアンテナ６が存在するように、鋳込みフィルムに埋設されている。鋳込みフィルム７の製造と加工(Bearbeitung)とは、これらフィルムを製造するために考えられた装置によって行われるとよい。製造および加工の際の機械の方向は、図４ｃ）、およびｄ）に矢印で示す。
【００３２】
ロッドアンテナの第１段階のものを鋳込みフィルムに埋設した後、フィルムに含まれる商品ラベルの本体の１つにつき、１つのアンテナコイル３が、フィルムの表面に印刷される。これにより、図４ｄ）に示す中間段階が得られる。
【００３３】
商品ラベルが粘着性ラベルとして使用されるべき場合、アンテナコイル３の印刷に続いて、鋳込みフィルム７の表面の１つが、更に粘着剤層によってさらに被覆される。
【００３４】
最後に、個々の商品ラベルは、型抜きによって、点鎖線に沿ってそれぞれ切り離される。必要なら、本発明にかかる商品ラベルは、印刷可能なまたは刻印可能な（beschriftbaren）層、あるいは既に刻印されている層によって、印刷され得る、または被覆され得る。加えて、粘着層に、離反層（Abziehschicht）を備えることができる。この工程は、同様に、各商品ラベルを分離する前に、行われるとよい。なぜなら、この方法工程の順序の場合、製造が簡易化されるからである。
【図面の簡単な説明】
【図１】  本発明にかかる商品ラベルの様々な例の平面図である。
【図２】  本発明にかかる商品ラベルの様々な例の平面図である。
【図３】  本発明にかかる商品ラベルの様々な例の平面図である。
【図４】  本発明の方法に基づいて、本発明にかかる商品ラベルの製造時の様々な第１段階および中間段階を示している。
【図１】
0004024539.tif 000002
【図２】
0004024539.tif 000003
【図３】
0004024539.tif 000004
【図４】
0004024539.tif 000005